(57)【要約】【課題】装置全体の構造を簡単化することができ、容易に組み立てることができるようになる差圧用ドア装置を提供すること。【解決手段】低圧領域と高圧領域との境界箇所に設置されたドア装置１のドアは、幅方向の一方の側端部に取り付けられた第１ヒンジ１３を中心にドア枠２に対して開閉自在となっている第１ドア１１と、この第１ドア１１の幅方向の他方の端部に第２ヒンジ１４を中心に開閉自在に取り付けられた第２ドア１２とからなる。第２ドア１２には、この第２ドア１２に設けられた操作部材となっているドアノブ１５によりドア枠２に係脱するラッチ部材１７が設けられ、このラッチ部材１７をドアノブ１５の操作でドア枠２から離脱させることにより、第２ドア１２は第２ヒンジ１４を中心に高圧領域側へ開き回動可能となっている。【選択図】図１
2015071862.tif 000002
【特許請求の範囲】
【請求項１】
低圧領域と高圧領域との境界箇所に設置されたドア装置であって、ドア枠の内側に形成された開口部にドアが開閉自在に配置されている差圧用ドア装置において、
前記ドアは、幅方向の一方の側端部に取り付けられた第１ヒンジを中心に前記ドア枠に対して開閉自在となっている第１ドアと、この第１ドアの幅方向の他方の端部に第２ヒンジを中心に開閉自在に取り付けられた第２ドアとからなり、この第２ドアには、この第２ドアに設けられた操作部材により前記ドア枠に係脱するラッチ部材が設けられ、このラッチ部材を前記操作部材の操作で前記ドア枠から離脱させることにより前記第２ドアが前記第２ヒンジを中心に前記高圧領域側へ開き回動可能となっていることを特徴とする差圧用ドア装置。
【請求項２】
請求項１に記載の差圧用ドア装置において、前記第２ドアは、前記第１ドアに対し前記高圧領域側へのみ開き回動可能となっていることを特徴とする差圧用ドア装置。
【請求項３】
請求項１又は２に記載の差圧用ドア装置において、前記第１ドアは、前記ドア枠に対し前記高圧領域側へのみ開き回動可能となっていることを特徴とする差圧用ドア装置。
【請求項４】
請求項１〜３のいずれかに記載の差圧用ドア装置において、前記第２ドアを前記第１ドアに対し閉じ方向へ常時回動付勢するための回動付勢手段を備えていることを特徴とする差圧用ドア装置。
【請求項５】
請求項１〜４のいずれかに記載の差圧用ドア装置において、前記第１ドアと前記第２ドアは、前記開口部の上下寸法と対応する高さ寸法を有していることを特徴とする差圧用ドア装置。
【請求項６】
請求項１〜４のいずれかに記載の差圧用ドア装置において、前記第２ドアの高さ寸法は前記第１ドアの高さ寸法よりも小さくなっているとともに、この第１ドアの全高のうちの一部の箇所には、前記幅方向の前記一方の側端部とは反対側に向かって開口し、前記第２ドアが配置されている切欠部が設けられており、前記第１ドアの全高のうち、前記切欠部が設けられていない箇所は、前記開口部の幅方向の寸法と対応する幅寸法を有していることを特徴とする差圧用ドア装置。
【請求項７】
請求項１〜６のいずれかに記載の差圧用ドア装置において、前記第１ドアと前記第２ドアのうち、少なくとも一方には、前記第１ドアと前記第２ドアとの間の隙間を、これらの第１ドア及び第２ドアの厚さ方向と角度をなす部分を有するものとする遮蔽部が設けられていることを特徴とする差圧用ドア装置。
【発明の詳細な説明】
【技術分野】
【０００１】
本発明は、建物等の構造物内で高圧と低圧の差圧が生じてもドアを開くことができる差圧用ドア装置に係り、例えば、防火区画を形成するための防火扉装置として利用できるものである。
【背景技術】
【０００２】
建物や地下街等の構造物内に防火区画を形成する場合には、２つの空間（第１及び第２空間）を出入り可能に仕切るために防火扉装置が設置される。これらの空間のうち、一方の空間、例えば、第１空間で火災が生じたときにはこの第１空間の煙が排煙装置で排出されるため、第１空間は低圧領域となり、第２空間は高圧領域となる。また、第１空間の煙が第２空間へ流出することを防止するために第２空間に空気供給装置で空気を送り込んだときにも、第１空間は低圧領域となり、第２空間は高圧領域となる。
【０００３】
このように低圧領域と高圧領域との境界箇所に設置されるドア装置であって、ドア枠の内側に形成された開口部にドアが開閉自在に配置される差圧用ドア装置となっている防火扉装置について、低圧領域に居た人が扉を高圧領域へ開いてこの高圧領域に脱出しようとしたときに、差圧によってドアを開くことが困難になるため、下記の特許文献１には、このような問題を解決できる技術が示されている。
【０００４】
特許文献１に示されている差圧用ドア装置は、ドア枠の内側の開口部に親ドアが配置され、この親ドアは、幅方向の一方の側端部に取り付けられたヒンジを中心にドア枠に対して開閉自在となっているとともに、親ドアには、幅方向の他方の側端部まで達する欠部が高さ方向の途中部に形成されており、この欠部に、子ドアが上下方向を軸方向とする中心軸を中心に回動自在に配置され、中心軸は子ドアの幅方向中央部からずれた位置に設けられている。また、子ドアには、ドア枠に対し係脱する第１ラッチ部材と、親ドアに対し係脱する第２ラッチ部材とが設けられ、子ドアに設けられている操作部材を操作すると、ドア枠と親ドアに係止していたそれぞれのラッチ部材が離脱し、このため、差圧により子ドアが中心軸を中心に回動して高圧領域の空気が低圧領域へ流出し、これにより、低圧領域と高圧領域の圧力差が小さくなり、親ドアを高圧領域側へ開くことができる。
【先行技術文献】
【特許文献】
【０００５】
【特許文献１】特開平７−２５９４０７号公報（００２０段落〜００２６段落、図１）
【発明の概要】
【発明が解決しようとする課題】
【０００６】
しかし、特許文献１の差圧用ドア装置によると、幅方向の一方の側端部に取り付けられたヒンジを中心にドア枠に対して開閉自在となっている親ドアに、幅方向の他方の側端部まで達する欠部を高さ方向の途中部に形成し、この欠部に、上下方向を軸方向とする中心軸を中心に子ドアを回動自在に配置しなければならず、また、子ドアに、操作部材の操作によりドア枠に対し係脱する第１ラッチ部材と、親ドアに対し係脱する第２ラッチ部材とを設けなければならず、これによると、装置全体の構造が複雑となり、組立作業に多くの手間がかかることになる。
【０００７】
本発明の目的は、装置全体の構造を簡単化することができ、容易に組み立てることができるようになる差圧用ドア装置を提供するところにある。
【課題を解決するための手段】
【０００８】
本発明に係る差圧用ドア装置は、低圧領域と高圧領域との境界箇所に設置されたドア装置であって、ドア枠の内側に形成された開口部にドアが開閉自在に配置されている差圧用ドア装置において、前記ドアは、幅方向の一方の側端部に取り付けられた第１ヒンジを中心に前記ドア枠に対して開閉自在となっている第１ドアと、この第１ドアの幅方向の他方の端部に第２ヒンジを中心に開閉自在に取り付けられた第２ドアとからなり、この第２ドアには、この第２ドアに設けられた操作部材により前記ドア枠に係脱するラッチ部材が設けられ、このラッチ部材を前記操作部材の操作で前記ドア枠から離脱させることにより前記第２ドアが前記第２ヒンジを中心に前記高圧領域側へ開き回動可能となっていることを特徴とするものである。
【０００９】
この差圧用ドア装置では、操作部材の操作でラッチ部材をドア枠から離脱させることにより、第２ドアを第２ヒンジを中心に高圧領域側へ開き回動させることが可能であり、ここの開き回動は第２ドアだけについてであって、第１ドアを第１ヒンジを中心に高圧領域側へ回動させなくてもよいため、第２ドアを第２ヒンジを中心に高圧領域側へ開き回動させることは、第２ドアだけに作用している高圧領域の圧力に抗して行えばよく、したがって、第２ドアを第２ヒンジを中心に高圧領域側へ容易に開き回動させることができ、これにより、高圧領域と低圧領域が連通して高圧領域の圧力が低下するため、第１ドアを第１ヒンジを中心に高圧領域側へ開き回動させることにより、低圧領域側に居た人は高圧領域側へ移動できることになる。
【００１０】
そして、この差圧用ドア装置は、幅方向の一方の側端部に取り付けられた第１ヒンジを中心にドア枠に対して開閉自在となっている第１ドアと、この第１ドアの幅方向の他方の端部に第２ヒンジを中心に開閉自在に取り付けられた第２ドアと、この第２ドアに設けられ、第２ドアの操作部材によりドア枠に係脱するラッチ部材とが構成要素となって構成されており、このため、装置全体の構造が簡単化され、また、装置全体を容易に組み立てることができる。
【００１１】
以上の本発明に係る差圧用ドア装置において、第２ドアは、第１ドアに対し高圧領域側と低圧領域側の両方へ開き回動可能となっていてもよく、あるいは、第１ドアに対し高圧領域側へのみ開き回動可能となっていてもよい。
【００１２】
第２ドアを、第１ドアに対し高圧領域側へのみ開き回動可能とするためには、ドア枠に、第１ドアに対して閉じ位置まで第２ヒンジを中心に回動した第２ドアが当接する戸当り部を設けてもよく、あるいは、第２ドアに、この第２ドアが第１ドアに対して閉じ位置まで第２ヒンジを中心に回動したときにドア枠に当接する戸当り部を設けてもよい。
【００１３】
また、第１ドアは、ドア枠に対し高圧領域側と低圧領域側の両方へ開き回動可能となっていてもよく、あるいは、ドア枠に対し高圧領域側へのみ開き回動可能となっていてもよい。
【００１４】
第１ドアを、ドア枠に対し高圧領域側へのみ開き回動可能とするためには、ドア枠に、このドア枠に対して閉じ位置まで第１ヒンジを中心に回動した第１ドアが当接する戸当り部を設けてもよく、あるいは、第１ドアに、この第１ドアがドア枠に対して閉じ位置まで第１ヒンジを中心に回動したときにドア枠に当接する戸当り部を設けてもよい。
【００１５】
また、本発明に係る差圧用ドア装置に、第２ドアを第１ドアに対し閉じ方向へ常時回動付勢するための回動付勢手段を設けてもよい。
【００１６】
これによると、回動付勢手段により第２ドアは第１ドアと一体化されているのと同様になるため、本発明に係る差圧用ドア装置で区画される２つの領域に圧力差がない又は殆どないときに、第２ドアに設けられている操作部材の操作でラッチ部材をドア枠から離脱させることにより、第２ドアを開き回動させたときには、第１ドアを第２ドアと共に開き回動させることができる。このため、ドア枠の内側に形成された開口部に開閉自在に配置されるドアが、前述のように、幅方向の一方の側端部に取り付けられた第１ヒンジを中心にドア枠に対して開閉自在となっている第１ドアと、この第１ドアの幅方向の他方の端部に第２ヒンジを中心に開閉自在に取り付けられた第２ドアとからなるものとなっていても、火災等が発生していない平常時においては、前記開口部を、この開口部にあたかも１個配置されたようになっているドアによって開閉できるようになる。
【００１７】
なお、上記回動付勢手段は、前記第２ヒンジをオートヒンジとすることにより、この第２ヒンジ自体を回動付勢手段とすることでもよく、あるいは、上記回動付勢手段を第１ドアと第２ドアとの間に架設されたドアクローザとしてもよい。
【００１８】
また、本発明において、第１ドアと第２ドアの高さ寸法は任意であり、その一例は、第１ドアと第２ドアを、前記開口部の上下寸法と対応する高さ寸法を有するものとすることである。これによると、第１ドアの高さ寸法と第２ドアの高さ寸法は、同じになるため、これらのドアについての製造作業及び設置現場での配置作業を容易に行えるようになる。
【００１９】
また、第２ドアの高さ寸法を第１ドアの高さ寸法よりも小さくするとともに、この第１ドアの全高のうちの一部の箇所に、前記幅方向の前記一方の側端部とは反対側に向かって開口し、第２ドアが配置されている切欠部を設け、第１ドアの全高のうち、この切欠部が設けられていない箇所を、前記開口部の幅方向の寸法と対応する幅寸法を有するものとしてもよい。
【００２０】
これによると、第２ドアの高さ寸法を第１ドアの高さ寸法と同じにした場合よりも、第２ドアの面積が小さくなるため、この第２ドアを第２ヒンジを中心に第１ドアに対し高圧領域側の圧力に抗して開き回動させるために必要な開き回動操作力が小さくなり、これより、第２ドアを一層容易に開き回動させることができるようになる。
【００２１】
なお、第２ドアの高さ寸法を第１ドアの高さ寸法よりも小さくことは、第２ドアの上下両端部の高さ位置を第１ドアの全高の途中位置と対応する位置とすることでもよく、あるいは、第２ドアの上端部の高さ位置を第１ドアの上端部の高さ位置と一致させて、第２ドアの下端部の高さ位置を第１ドアの下端部の高さ位置よりも高い位置することでもよく、あるいは、第２ドアの下端部の高さ位置を第１ドアの下端部の高さ位置と一致させて、第２ドアの上端部の高さ位置を第１ドアの上端部の高さ位置よりも低い位置することでもよい。
【００２２】
また、第１ドアと第２ドアのうち、少なくとも一方には、第１ドアと第２ドアとの間の隙間を、これらの第１ドア及び第２ドアの厚さ方向と、例えば、９０度や９０度以外の角度をなす部分を有するものとする遮蔽部を設けてもよい。
【００２３】
これによると、火災の発生時において、煙が第１ドアと第２ドアとの間の隙間を通って低圧領域側から高圧領域側へ流出することを遮蔽部により抑制することができる。
【００２４】
以上説明した本発明に係る差圧用ドア装置において、高圧領域と低圧領域の圧力差は、火災で生じた煙が排煙装置で排出されたり、前述の空気供給装置で空気が供給されたりすることによって生ずる気圧差でもよく、あるいは、大雨により侵入した水又は火災を鎮火するために放水された水による水圧差でもよく、あるいは、これらの気圧差と水圧差の合計によるものでもよい。
【発明の効果】
【００２５】
本発明によると、差圧用ドア装置の装置全体の構造を簡単化することができ、また、差圧用ドア装置を容易に組み立てることができるという効果を得られる。
【図面の簡単な説明】
【００２６】
【図１】図１は、本発明の一実施形態に係る差圧用ドア装置の全体を示す正面図である。
【図２】図２は、図１の差圧用ドア装置を、壁とドア枠の左右の側枠とを断面図として示した一部省略の平面図である。
【図３】図３は、差圧用ドア装置の第２ドアが第１ドアに対し高圧領域側へ開き回動したときを示す図２と同様の図である。
【図４】図４は、差圧用ドア装置の第２ドアが第１ドアと共に高圧領域側へ開き回動したときを示す図２と同様の図である。
【図５】図５は、火災等が発生していない平常時において、回動付勢手段により第１ドアと第２ドアが一体となって高圧領域側へ開き回動したときを示す図２と同様の図である。
【図６】図６は、戸当り部についての別実施形態を示す図１と同様の図である。
【図７】図７は、第２ドアの高さ寸法が第１ドアの高さ寸法よりも小さくなっている別実施形態を示す図１と同様の図である。
【発明を実施するための形態】
【００２７】
以下に本発明を実施するための形態を図面に基づいて説明する。図１には、本発明の一実施形態に係るドア装置１の全体正面図が示されている。本実施形態のドア枠２は、上枠３と、下枠４と、左右の側枠５，６からなる四方枠となっているが、本発明は、ドア枠が、下枠４が省略された三方枠となっている場合にも適用できる。
【００２８】
ドア枠２の内側は人等が出入りする開口部７であり、この開口部７には、それぞれ防火性、耐火性を有している第１ドア１１と第２ドア１２が、左右方向である幅方向に並設されて配置されており、これらの第１ドア１１と第２ドア１２は、開口部７の上下寸法と対応する高さ寸法を有する。第１ドア１１は、図１において、この第１ドア１１の左右の側端部のうち、右の側端部に取り付けられた第１ヒンジ１３によってドア枠２の側枠５に連結され、このため、第１ドア１１は、第１ヒンジ１３を中心にドア枠２に対して開閉自在となっている。また、第２ドア１２は、第１ドア１１の左右の側端部のうち、左の側端部に取り付けられた第２ヒンジ１４によって第１ドア１１に連結され、このため、第２ドア１２は、第２ヒンジ１４を中心に第１ドア１１に対して開閉自在となっている。
【００２９】
第１ドア１１と第２ドア１２の合計幅寸法は、開口部７の幅寸法と対応するものになっているが、第１ドア１１の幅寸法と第２ドア１２の幅寸法は、同じになっておらず、第２ドア１２の幅寸法は、第１ドア１１の幅寸法よりも小さい。
【００３０】
第２ドア１２には、この第２ドア１２を開閉操作する際に用いられる操作部材となっているドアノブ１５と、このドアノブ１５の回動操作が運動変換機構１６により直線移動に変換されるラッチ部材１７とが設けられており、ドア枠２の側枠６には、ラッチ部材１７が挿入、係合されて、このラッチ部材１７を受けるためのラッチ受け部材１８が設けられている。通常時は側枠６側へ前進しているラッチ部材１７がラッチ受け部材１８で受けられることにより、ラッチ部材１７はドア枠２に係止され、ドアノブ１５の回動操作でラッチ部材１７が第２ドア１２側へ後退してラッチ受け部材１８から抜け出ることにより、ラッチ部材１７はドア枠２から離脱する。
【００３１】
なお、第２ドア１２には、この第２ドア１２が第２ヒンジ１４を中心に第１ドア１１や側枠６に対して回動することを阻止するための施錠装置を設けてもよく、ラッチ部材１７は、この施錠装置を構成する部材としてもよい。
【００３２】
図２は、図１のドア装置１を、このドア装置１が配置されている壁１９と、ドア枠２の左右の側枠５，６とを断面図として示した一部省略の平面図である。ドア装置１は、コンクリート等で形成されている壁１９と共に建物内の防火区画を形成しており、ドア装置１と壁１９とで区画されている２つの空間Ａ，Ｂのうち、空間Ａは、例えば、建物内の通路（後述の高圧領域）であり、空間Ｂは、この建物内の部屋（後述の低圧領域）である。第２ドア１２のドアノブ１５は、２つの空間Ａ，Ｂに向いている第２ドア１２の両方の面に設けられている。
【００３３】
図２に示されているように、ドア枠２の側枠６には、第２ドア１２が第２ヒンジ１４を中心に第１ドア１１に対して空間Ａ側から閉じ回動したときに第２ドア１２に当接することにより、第２ドア１２が空間Ｂ側へ回動することを阻止するための戸当り部２０が設けられ、このため、第２ドア１２は、第２ヒンジ１４を中心に第１ドア１１に対して空間Ａ側へのみ開き回動を行うようになっている。また、第２ヒンジ１４は、ヒンジ本体の内部にばね等の弾性部材が内蔵されたオートヒンジであり、このため、第２ヒンジ１４は、第２ドア１２に第１ドア１１に対して常時閉じ方向への回動力を付与するための回動付勢手段となっている。
【００３４】
さらに、図１に示されているように、ドア枠２の上枠３には、第１ドア１１が第１ヒンジ１３を中心に空間Ａ側から閉じ回動したときに第１ドア１１に当接することにより、第１ドア１１が第１ヒンジ１３を中心に空間Ｂ側へ回動することを阻止するための戸当り部２１が設けられ、このため、第１ドア１１も、第１ヒンジ１３を中心にドア枠２に対して空間Ａ側へのみ開き回動を行うようになっている。
【００３５】
また、第１ヒンジ１３も、ヒンジ本体の内部にばね等の弾性部材が内蔵されたオートヒンジであり、このため、第１ヒンジ１３は、第１ドア１１にドア枠２に対し常時閉じ方向への回動付勢力を付与するための回動付勢手段となっている。なお、この回動付勢手段については、第１ヒンジをフロアヒンジとすることにより、第１ヒンジを、このフロアヒンジによる回動付勢手段としてもよく、さらに、第１ヒンジを通常のヒンジとし、第１ドア１１にドア枠２に対し常時閉じ方向への回動付勢力を付与するための上記回動付勢手段を、第１ドア１１とドア枠２との間に架設されたドアクローザとしてもよい。
【００３６】
また、戸当り部２０，２１は、ドア枠２を構成する側枠６や上枠３に取り付けた戸当り部材によるものでもよく、あるいは、図２で示されている戸当り部２０のように、側枠６や上枠３と一体に形成された上枠３や側枠６の一部によるものでもよい。また、戸当り部２０は上枠３に設けてもよい。
【００３７】
また、本実施形態では、図２に示されているように、第２ヒンジ１４を介して互いに幅方向に対面している第１ドア１１と第２ドア１２の幅方向の端部には、これらの第１ドア１１と第２ドア１２との間の隙間Ｓを、第１ドア１１及び第２ドア１２の厚さ方向と角度をなす部分Ｓ１を有するものとする遮蔽部１１Ａ，１２Ａが、第１ドア１１と第２ドア１２の一部として設けられている。本実施形態における隙間Ｓの部分Ｓ１は、第１ドア１１及び第２ドア１２の厚さ方向と９０度の角度をなすものであり、第１ドア１１の遮蔽部１１Ａは、２つの空間Ａ，Ｂのうち、空間Ｂ側において、第２ドア１２側へ突出する突出部となっており、第２ドア１２の遮蔽部１２Ａは、２つの空間Ａ，Ｂのうち、空間Ａ側において、第１ドア１１側へ突出する突出部となっており、これらの遮蔽部１１Ａ，１２Ａは、第１ドア１１及び第２ドア１２の厚さ方向に隙間Ｓの部分Ｓ１を介して対面している。
【００３８】
なお、このような遮蔽部１１Ａ，１２Ａは、第１ドア１１及び第２ドア１２に取り付けた部材により第１ドア１１及び第２ドア１２に設けてもよい。
【００３９】
図２において、空間Ｂにおいて火災が発生すると、この空間Ｂから図示外の排煙装置によって煙が排出されるため、空間Ｂの気圧は空間Ａの気圧よりも低下し、このため、空間Ｂは低圧領域となって、空間Ａは高圧領域となる。このため、本実施形態に係るドア装置１は、これらの低圧領域と高圧領域との境界箇所に設置された防火性、耐火性を有する差圧用ドア装置である。
【００４０】
空間Ｂが低圧領域となって、空間Ａが高圧領域となった後に、空間Ｂに居る人がこの空間Ｂから脱出するために、第２ドア１２に操作部材として設けられているドアノブ１５を回動操作すると、第２ドア１２に設けられているラッチ部材１７が後退し、このラッチ部材１７はドア枠２から離脱する。このようにラッチ部材１７がドア枠２から離脱した後に、前記人がドアノブ１５を押すと、第１ドア１１及び第２ドア１２には、空間Ａの高圧の圧力が作用しているため、第１ドア１１は第１ヒンジ１３を中心にドア枠２に対して開き回動することはないが、この第１ドア１１に第２ヒンジ１４を介して連結されている第２ドア１２は、ドアノブ１５に作用させた開き回動操作力により、図３に示されているように、第２ヒンジ１４を中心に第１ドア１１に対して空間Ａ側へ開き回動する。
【００４１】
すなわち、本実施形態によると、第２ドア１２を開き回動させるためには、この第２ドア１２に作用している空間Ａの圧力と、前述の回動付勢手段となっている第２ヒンジ１４による閉じ回動力との合計を超える操作力をドアノブ１５に押し力として作用させればよく、この押し力は、第１ドア１１に作用している空間Ａの圧力を加えたものではないため、前記人は、第２ドア１２を第２ヒンジ１４を中心に第１ドア１１に対して容易に開き回動させることができる。
【００４２】
また、本実施形態では、第２ドア１２の幅寸法は第１ドア１１の幅寸法よりも小さくなっており、したがって、この分だけ空間Ａの圧力が作用している第２ドア１２の面積は小さくなっているため、前記人は、第２ドア１２を第２ヒンジ１４を中心に第１ドア１１に対して一層容易に開き回動させることができる。
【００４３】
そして、第２ドア１２が開き回動すると、空間Ａと空間Ｂが連通し、空間Ａの空気が空間Ｂへ流出することによりこれらの空間Ａ，Ｂの気圧差は小さくなるため、前記人がドアノブ１５を押すことにより、図４に示されているように、第１ドア１１をドア枠２に対して第１ヒンジ１３を中心に空間Ａ側へ開き回動させることができる。これにより、前記人は、開いた前記開口部７を通過して空間Ａへ脱出することができる。
【００４４】
このように前記人が空間Ｂから空間Ａへ脱出することにより、第２ドア１２に空間Ａ側へ作用していた人為的操作力がなくなると、空間Ａ側へ開き回動していた第１ドア１１は、回動付勢手段のオートヒンジとなっている第１ヒンジ１３の回動力によってドア枠２に対し閉じ回動し、この閉じ回動は、第１ドア１１がドア枠２の上枠３に設けられている戸当り部２１に当接することにより停止する。また、空間Ａ側へ開き回動していた第２ドア１２も、回動付勢手段のオートヒンジとなっている第２ヒンジ１４の回動力によって第１ドア１１に対し閉じ回動し、この閉じ回動は、第２ドア１２がドア枠２の側枠６に設けられている戸当り部２０に当接することにより停止する。そして、第２ドア１２が戸当り部２０で規定される閉じ回動限に達したときには、第２ドア１２の前進していたラッチ部材１７は、側枠６のラッチ受け部材１８に挿入、係合し、このため、ラッチ部材１７によって第２ドア１２とドア枠２は連結され、これにより、ドア枠２の内側の開口部７が第１ドア１１と第２ドア１２とで閉じられていたもとの状態に復帰する。
【００４５】
このため、空間Ｂに居た上述の人が空間Ａに脱出した後は、２つの空間Ａ，Ｂは第１ドア１１と第２ドア１２により遮断されることになり、これにより、空間Ｂの煙が空間Ａへ流出することを有効に防止できる。
【００４６】
以上説明した本実施形態によると、差圧用ドア装置１のドア枠２の内側に形成されている開口部７に開閉自在に配置されるドアは、第１ドア１１と第２ドア１２であり、第１ドア１１は、この第１ドア１１の幅方向の一方の側端部に取り付けられる第１ヒンジ１３を中心にドア枠２に対して開閉自在に取り付ければよく、第２ドア１２は、第１ドア１１の幅方向の他方の側端部に取り付けられる第２ヒンジ１４を中心に第１ドア１１に対して開閉自在に取り付ければよいため、装置全体の構造を簡単化することができ、また、容易に組み立てることもできる。
【００４７】
また、第２ドア１２に設けられたドアノブ１５と、このドアノブ１５でドア枠２に対して係脱するラッチ部材１７は、一般のドア装置に設けられているものと同じでよいため、この点でも、装置全体の構造を簡単化と、組み立ての容易化を図ることができる。
【００４８】
さらに、第１ドア１１と第２ドア１２は、開口部７の上下寸法と対応する高さ寸法を有するものとなっていて、これらのドア１１，１２の高さ寸法は同じであるため、この点でも、装置全体の構造が簡単化され、組み立ての容易化を実現できる。
【００４９】
また、第１ドア１１と第２ドア１２には、これらのドア１１，１２の間の隙間Ｓを、これらのドア１１，１２の厚さ方向と角度をなす部分Ｓ１を有するものとする遮蔽部１１Ａ，１２Ａが設けられているため、空間Ｂでの火災による煙が隙間Ｓを通って空間Ａへ流出することを抑制できる。
【００５０】
なお、本実施形態における第１ドア１１と第２ドア１２の遮蔽部１１Ａ，１２Ａは、これらのドア１１，１２が図３及び図４に示されているように開き回動する際に互いに干渉することはなく、ドア１１，１２を所定どおり開き回動させることができる。
【００５１】
第１ドア１１と第２ドア１２に設ける遮蔽部は、図示の遮蔽部１１Ａ，１２Ａに限定されず、遮蔽部を、例えば、ゴム等の弾性部材で形成されたものとし、これにより、ドア枠２の内側の開口部７が第１ドア１１と第２ドア１２で閉じられたときに、遮蔽部同士が互いに弾性的に密着するものでもよい。
【００５２】
図５は、空間Ｂで火災が発生していない平常時を示している。このときの空間Ａと空間Ｂの気圧は同じ又は略同じであり、また、第２ドア１２には、回動付勢手段のオートヒンジになっている第２ヒンジ１４により、第１ドア１１に対する閉じ回動力が常時作用しているため、空間Ｂに居る人が、ドアノブ１５により第２ドア１２を開き操作すると、第１ドア１１も第２ドア１２と一体となって開き回動する。
【００５３】
すなわち、ドア枠２の内側に形成された開口部７に開閉自在に配置されるドアが、前述のように第１ドア１１と第２ドア１２とからなるものとなっていても、火災が発生していない平常時においては、開口部７を、この開口部７にあたかも１個配置されたようになっているドアによって開閉できることになる。
【００５４】
図６は、前述した戸当り部についての別実施形態を示している。
【００５５】
すなわち、図６の実施形態では、第１ドア１１には、この第１ドア１１が第１ヒンジ１３を中心に空間Ａ側から閉じ回動したときにドア枠２の上枠３に当接することにより、第１ドア１１が空間Ｂ側へ回動することを阻止するための戸当り部４１が設けられ、このため、第１ヒンジ１３を中心とする第１ドア１１のドア枠２に対する開閉は、空間Ａの領域のみで行われる。
【００５６】
なお、戸当り部４１は、第１ドア１１に取り付けた戸当り部材によるものでもよく、あるいは、第１ドア１１に一体に形成された第１ドア１１の一部によるものでもよい。
【００５７】
また、図６には、第２ドア１２のための戸当り部２０が、図２と同様にドア枠２の側枠６に設けられていることが示されているが、この第２ドア１２のための戸当り部は、第２ドア１２の上端に、ドア枠２の上枠３に当接するものとして設けてもよく、また、この戸当り部は、第２ドア１２の上端に取り付けた戸当り部材によるものでもよく、あるいは、第２ドア１２の上端に、一体に形成された第２ドア１２の一部によるものでもよい。
【００５８】
また、第２ドア１２のための戸当り部は、ドア枠２の上枠３に取り付けた戸当り部材によるものや、上枠３に一体に形成されたものでもよい。
【００５９】
図７で示す実施形態の開口部７に開閉自在に配置されたドアは、第１ドア１１’と第２ドア１２’からなり、第１ドア１１’の高さ寸法が開口部７の上下寸法と対応する寸法になっているが、第２ドア１２’の高さ寸法は、第１ドア１１’の高さ寸法よりも小さくなっている。このように第２ドア１２’の高さ寸法を第１ドア１１’の高さ寸法よりも小さくするために、第１ドア１１’の全高のうちの一部の箇所には切欠部５０が形成されており、この切欠部５０は、第１ドア１１’における第１ヒンジ１３が取り付けられている前記幅方向の右の側端部とは反対側に向かって開口したものとなっており、この切欠部５０に第２ドア１２’が配置されている。そして、第１ドア１１’の全高のうち、切欠部５０が設けられていない箇所は、開口部７の幅方向の寸法と対応する幅寸法を有している。
【００６０】
本実施形態の切欠部５０は、第２ドア１２’の上下両端部の高さ位置が第１ドア１１’の全高の途中位置と対応する位置になっているものであり、このように第１ドア１１’の全高の途中箇所に設けられている切欠部５０の第１ヒンジ１３側となっている端部（切欠部５０の切り込み方向奥側の端部）が、第２ヒンジ１４により第２ドア１２’が開閉自在に取り付けられている第１ドア１１’の幅方向の側端部となっている。
【００６１】
また、ドア枠２の側枠６には、図２の実施形態と同様に、戸当り部２０が設けられ、この戸当り部２０により、第２ドア１２’は、第２ヒンジ１４を中心に第１ドア１１’に対して空間Ａ側へのみ開き回動を行うになっているとともに、第１ドア１１’も、第１ヒンジ１３を中心にドア枠２に対して空間Ａ側へのみ開き回動を行うようになっている。
【００６２】
すなわち、側枠６に設けられている戸当り部２０は、第１ドア１１’と第２ドア１２’の両方のためのものとなっている。このような戸当り部は、側枠６に取り付けた戸当り部材によるものでもよく、あるいは、図２で示されている戸当り部２０のように、側枠６と一体に形成された側枠６の一部によるものでもよい。
【００６３】
図７の実施形態によると、第２ドア１２’の高さ寸法が第１ドア１１’の高さ寸法よりも小さくなっているため、それだけ前記実施形態よりも第２ドア１２’の面積が小さくなっている。このため、空間Ｂにおいて火災が発生した際に、第２ドア１２’を第２ヒンジ１４を中心に第１ドア１１’に対し空間Ａの高圧の圧力に抗して開き回動させるためにドアノブ１５に作用させなければならない押し力を小さくすることができ、これより、第２ドア１２’を一層容易に開き回動させることができる。
【００６４】
また、図７の実施形態では、切欠部５０を形成している３つの辺部、すなわち、上下両辺部と、第２ヒンジ１４が配置されている側辺部とが、第１ドア１１’と第２ドア１２’との間に隙間を形成する三方の箇所となっており、これらの箇所において、図２で示した遮蔽部１１Ａ，１２Ａと同様の遮蔽部１１’Ａ，１２’Ａが第１ドア１１’と第２ドア１２’に設けられている。これにより、第１ドア１１’と第２ドア１２’との間の三方の隙間は、これらのドア１１’，１２’の厚さ方向と９０度の角度をなす部分を有するものとなっているため、空間Ｂでの火災による煙が三方の隙間を通って空間Ａへ流出することを抑制できる。
【産業上の利用可能性】
【００６５】
本発明は、圧力差が生ずる箇所に設置されるドア装置として利用でき、例えば、防火区画を形成するための防火扉装置として利用することができる。
【符号の説明】
【００６６】
１  差圧用ドア装置
２  ドア枠
７  ドア枠の内側の開口部
１１，１１’  第１ドア
１１Ａ，１１’Ａ  遮蔽部
１２，１２’  第２ドア
１２Ａ，１２’Ａ  遮蔽部
１３  第１ヒンジ
１４  回動付勢手段のオートヒンジとなっている第２ヒンジ
１５  操作部材であるドアノブ
１７  ラッチ部材
１８  ラッチ受け部材
２０，２１，４１  戸当り部
５０  切欠部
Ａ  高圧領域の空間
Ｂ  低圧領域の空間
Ｓ  隙間
【図１】
2015071862.tif 000003
【図２】
2015071862.tif 000004
【図３】
2015071862.tif 000005
【図４】
2015071862.tif 000006
【図５】
2015071862.tif 000007
【図６】
2015071862.tif 000008
【図７】
2015071862.tif 000009